【手続補正書】
【提出日】平成17年11月18日(2005.11.18)
【手続補正１】
【補正対象書類名】明細書
【補正対象項目名】発明の名称
【補正方法】変更
【補正の内容】
【発明の名称】ファクシミリ通信システム、通信端末装置および通信システム
【手続補正２】
【補正対象書類名】明細書
【補正対象項目名】特許請求の範囲
【補正方法】変更
【補正の内容】
【特許請求の範囲】
【請求項１】  インターネット・プロトコルで通信可能なネットワークに接続され、ＩＴＵ−Ｔ勧告Ｔ．３７のフルモードに準拠したファクシミリ通信機能を備えた通信端末装置によって電子メールで画像情報を送受信するファクシミリ通信システムにおいて、送信元の前記通信端末装置は、受信先の前記通信端末装置ごとにフルモードまたはシンプルモードの機能モードを記憶する電子電話帳を備え、受信先となる複数の前記通信端末装置へ同報通信する場合、前記電子電話帳にシンプルモードとして機能モードを指定された通信端末装置に対しては同報送信による電子メールを送信し、前記電子電話帳にフルモードとして機能モードを指定された通信端末装置に対しては個々に電子メールを送信するようにして、一回の送信指示により、複数の受信先に画像情報を配布することを特徴とするファクシミリ通信システム。
【請求項２】  請求項１に記載のファクシミリ通信システムにおいて、前記電子電話帳への機能モードの設定は、前記通信端末装置の操作パネルから設定できるようにしたことを特徴とするファクシミリ通信システム。
【請求項３】  請求項２に記載のファクシミリ通信システムにおいて、前記電子電話帳への機能モードの設定は、前記ネットワークを介してＷｅｂブラウザにて設定できるようにしたことを特徴とするファクシミリ通信システム。
【請求項４】  請求項１、２または３に記載のファクシミリ通信システムにおいて、前記送信元の通信端末装置は、前記受信先の通信端末装置から送信されてくる送達確認メールを解析して能力情報を抽出し、前記電子電話帳の内容を更新するようにしたことを特徴とするファクシミリ通信システム。
【請求項５】  請求項４に記載のファクシミリ通信システムにおいて、前記送信元の通信端末装置は、前記受信先の通信端末装置から送達確認メールを受信した場合であっても、前記電子電話帳に前記機能モードとしてシンプルモードが設定されていれば、該電子電話帳を更新しないようにしたことを特徴とするファクシミリ通信システム。
【請求項６】  インターネット・プロトコルで通信可能なネットワークに接続され、ＩＴＵ−Ｔ勧告Ｔ．３７のフルモードに準拠したファクシミリ通信機能を備え、電子メールで画像情報を送受信する通信端末装置において、受信先の通信端末装置ごとにフルモードまたはシンプルモードの機能モードを記憶する電子電話帳と、受信先となる複数の通信端末装置へ同報通信する場合、前記電子電話帳にシンプルモードの機能モードを指定された通信端末装置に対しては同報送信による電子メールを送信し、前記電子電話帳にフルモードの機能モードを指定された通信端末装置に対しては個々に電子メールを送信する電子メール送信手段を備え、一回の送信指示により、複数の受信先に画像情報を配布することを特徴とする通信端末装置。
【請求項７】  インターネット・プロトコルで通信可能なネットワークに接続され、通信端末装置によって電子メールで画像情報を送受信する通信システムにおいて、送信元の前記通信端末装置は、受信先の前記通信端末装置ごとに第１のまたは第２のモードの機能モードを記憶する電子電話帳を備え、受信先となる複数の前記通信端末装置へ同報通信する場合、前記電子電話帳に第２のモードとして機能モードを指定された通信端末装置に対しては同報送信による電子メールを送信し、前記電子電話帳に第１のモードとして機能モードを指定された通信端末装置に対しては個々に電子メールを送信するようにして、一回の送信指示により、複数の受信先に画像情報を配布することを特徴とする通信システム。
【請求項８】  請求項７に記載の通信システムにおいて、前記電子電話帳への機能モードの設定は、前記通信端末装置の操作パネルから設定できるようにしたことを特徴とする通信システム。
【請求項９】  請求項８に記載の通信システムにおいて、前記電子電話帳への機能モードの設定は、前記ネットワークを介してＷｅｂブラウザにて設定できるようにしたことを特徴とする通信システム。
【請求項１０】  請求項７、８または９に記載の通信システムにおいて、前記送信元の通信端末装置は、前記受信先の通信端末装置から送信されてくる送達確認メールを解析して能力情報を抽出し、前記電子電話帳の内容を更新するようにしたことを特徴とする通信システム。
【請求項１１】  請求項１０に記載の通信システムにおいて、前記送信元の通信端末装置は、前記受信先の通信端末装置から送達確認メールを受信した場合であっても、前記電子電話帳に前記機能モードとして第２のモードが設定されていれば、該電子電話帳を更新しないようにしたことを特徴とする通信システム。
【請求項１２】  インターネット・プロトコルで通信可能なネットワークに接続され、電子メールで画像情報を送受信する通信端末装置において、受信先の通信端末装置ごとに第１のモードまたは第２のモードの機能モードを記憶する電子電話帳と、受信先となる複数の通信端末装置へ同報通信する場合、前記電子電話帳に第２のモードの機能モードを指定された通信端末装置に対しては同報送信による電子メールを送信し、前記電子電話帳に第１のモードの機能モードを指定された通信端末装置に対しては個々に電子メールを送信する電子メール送信手段を備え、一回の送信指示により、複数の受信先に画像情報を配布することを特徴とする通信端末装置。
【手続補正３】
【補正対象書類名】明細書
【補正対象項目名】０００１
【補正方法】変更
【補正の内容】
【０００１】
【発明の属する技術分野】
本発明は、ファクシミリ通信システム、通信端末装置および通信システムに関し、具体的には、複数の通信端末装置がインターネット・プロトコルで通信可能なネットワークを介して電子メールのデータ形式で画像情報の送受信制御技術に関する。
【手続補正４】
【補正対象書類名】明細書
【補正対象項目名】００１７
【補正方法】変更
【補正の内容】
【００１７】
本発明は、上述の実情を考慮してなされたものであって、インターネット・プロトコルで通信可能なネットワークに接続され、電子メールで画像情報を送受信するときに、１回の送信指示により、複数の宛先に電子メールによる同報送信で画像情報を確実に配布し、画像情報の転送の信頼性を高めることのできるファクシミリ通信システム、通信端末装置および通信システムを提供することを目的とする。
【手続補正５】
【補正対象書類名】明細書
【補正対象項目名】００１８
【補正方法】変更
【補正の内容】
【００１８】
【課題を解決するための手段】
上述の課題を解決するために、本発明の請求項１は、インターネット・プロトコルで通信可能なネットワークに接続され、ＩＴＵ−Ｔ勧告Ｔ．３７のフルモードに準拠したファクシミリ通信機能を備えた通信端末装置によって電子メールで画像情報を送受信するファクシミリ通信システムにおいて、送信元の前記通信端末装置は、受信先の前記通信端末装置ごとにフルモードまたはシンプルモードの機能モードを記憶する電子電話帳を備え、受信先となる複数の前記通信端末装置へ同報通信する場合、前記電子電話帳にシンプルモードとして機能モードを指定された通信端末装置に対しては同報送信による電子メールを送信し、前記電子電話帳にフルモードとして機能モードを指定された通信端末装置に対しては個々に電子メールを送信するようにして、一回の送信指示により、複数の受信先に画像情報を配布することを特徴とする。
【手続補正６】
【補正対象書類名】明細書
【補正対象項目名】００２３
【補正方法】変更
【補正の内容】
【００２３】
また、本発明の請求項６は、インターネット・プロトコルで通信可能なネットワークに接続され、ＩＴＵ−Ｔ勧告Ｔ．３７のフルモードに準拠したファクシミリ通信機能を備え、電子メールで画像情報を送受信する通信端末装置において、受信先の通信端末装置ごとにフルモードまたはシンプルモードの機能モードを記憶する電子電話帳と、受信先となる複数の通信端末装置へ同報通信する場合、前記電子電話帳にシンプルモードの機能モードを指定された通信端末装置に対しては同報送信による電子メールを送信し、前記電子電話帳にフルモードの機能モードを指定された通信端末装置に対しては個々に電子メールを送信する電子メール送信手段を備え、一回の送信指示により、複数の受信先に画像情報を配布することを特徴とする。
【手続補正７】
【補正対象書類名】明細書
【補正対象項目名】００２４
【補正方法】変更
【補正の内容】
【００２４】
また、本発明の請求項７は、インターネット・プロトコルで通信可能なネットワークに接続され、通信端末装置によって電子メールで画像情報を送受信する通信システムにおいて、送信元の前記通信端末装置は、受信先の前記通信端末装置ごとに第１のまたは第２のモードの機能モードを記憶する電子電話帳を備え、受信先となる複数の前記通信端末装置へ同報通信する場合、前記電子電話帳に第２のモードとして機能モードを指定された通信端末装置に対しては同報送信による電子メールを送信し、前記電子電話帳に第１のモードとして機能モードを指定された通信端末装置に対しては個々に電子メールを送信するようにして、一回の送信指示により、複数の受信先に画像情報を配布することを特徴とする。
また、本発明の請求項８は、請求項７に記載の通信システムにおいて、前記電子電話帳への機能モードの設定は、前記通信端末装置の操作パネルから設定できるようにしたことを特徴とする。
また、本発明の請求項９は、請求項８に記載の通信システムにおいて、前記電子電話帳への機能モードの設定は、前記ネットワークを介してＷｅｂブラウザにて設定できるようにしたことを特徴とする。
また、本発明の請求項１０は、請求項７、８または９に記載の通信システムにおいて、前記送信元の通信端末装置は、前記受信先の通信端末装置から送信されてくる送達確認メールを解析して能力情報を抽出し、前記電子電話帳の内容を更新するようにしたことを特徴とする。
また、本発明の請求項１１は、請求項１０に記載の通信システムにおいて、前記送信元の通信端末装置は、前記受信先の通信端末装置から送達確認メールを受信した場合であっても、前記電子電話帳に前記機能モードとして第２のモードが設定されていれば、該電子電話帳を更新しないようにしたことを特徴とする。
【手続補正８】
【補正対象書類名】明細書
【補正対象項目名】００２５
【補正方法】変更
【補正の内容】
【００２５】
また、本発明の請求項１２は、インターネット・プロトコルで通信可能なネットワークに接続され、電子メールで画像情報を送受信する通信端末装置において、受信先の通信端末装置ごとに第１のモードまたは第２のモードの機能モードを記憶する電子電話帳と、受信先となる複数の通信端末装置へ同報通信する場合、前記電子電話帳に第２のモードの機能モードを指定された通信端末装置に対しては同報送信による電子メールを送信し、前記電子電話帳に第１のモードの機能モードを指定された通信端末装置に対しては個々に電子メールを送信する電子メール送信手段を備え、一回の送信指示により、複数の受信先に画像情報を配布することを特徴とする。
【手続補正９】
【補正対象書類名】明細書
【補正対象項目名】００７２
【補正方法】変更
【補正の内容】
【００７２】
一方、所定時間内に応答があった場合（ステップＳ３４０のＹＥＳ）、送達確認メールを解析し、受信先の通信端末装置のメールアドレスと能力情報を取得する（ステップＳ３６０）。送達確認メールは、図８に示すように、ヘッダと、本文および能力情報（符号化圧縮方法、解像度、画像サイズ等）から構成されている。
この受信先の通信端末装置のメールアドレスが先に通信情報管理部９３に保管したメールアドレス中にあれば、通信情報管理部９３からその一致したメールアドレスを削除して、ステップＳ３６０へ進む。
他方、通信情報管理部９３に保管したメールアドレス中になければ、応答されたメールではないので、そのメールを破棄してステップＳ３３０へ戻る。
【手続補正１０】
【補正対象書類名】明細書
【補正対象項目名】００７３
【補正方法】変更
【補正の内容】
【００７３】
この取得した受信先の通信端末装置のメールアドレスと能力情報で電子電話帳１００を更新し（ステップＳ３７０）、次の送達確認メールを受信するために、ステップＳ３３０へ戻る。
【手続補正１１】
【補正対象書類名】明細書
【補正対象項目名】００８２
【補正方法】変更
【補正の内容】
【００８２】
【発明の効果】
以上説明したように本発明によれば、インターネット・プロトコルで通信可能なネットワークに接続され、電子メールで画像情報を送受信するときに、受信先の通信端末装置がＩＴＵ−Ｔ勧告Ｔ．３７のフルモードやシンプルモードに準拠した機能を搭載した通信端末装置が混在した場合でも、１回の送信指示により、複数の受信先に電子メールによって画像情報を確実に配布し、画像情報における配信の信頼性が大幅に向上する。